(57)【要約】【課題】使用中の照明条件を手軽に変更させ得ることによって使用の多様性の確保に有利な可変型照明装置を提供する。【解決手段】開示される本発明に係る可変型照明装置は、光を照明し、互いに異なる方向および角度に延びる複数の連結端部を備える照明ユニットと、照明ユニットの複数の連結端部のうちいずれか１つと選択的に連結されて照明ユニットを保持すると共に、照明ユニットと接点連結方式に応じて電源を印加する保持ユニットとを備え、複数の連結端部が保持ユニットに連結される状態変更に応じて、照明ユニットから照明される角度、方向、高低、および光量のうち少なくともいずれか１つが変更される。このような構成によると、照明ユニットと保持ユニットとの間の連結状態を変更する手軽な動作に応じて、照明条件を手軽に変更させることができ、使用の多様性を確保することが有利である。【選択図】      図１
2012248536.tif 000002
【特許請求の範囲】
【請求項１】
発光する照明ユニットと、
前記照明ユニットと選択的に連結されて前記照明ユニットを保持すると共に、連結された前記照明ユニットに電源を印加する保持ユニットと
を備え、
前記照明ユニットは、前記保持ユニットに連結される連結構造が変更されることに連動して照明条件が変更されることを特徴とする可変型照明装置。
【請求項２】
前記照明ユニットは発光素子を少なくとも１つ備え、前記保持ユニットと接点連結される複数の接点部を備えることを特徴とする請求項１に記載の可変型照明装置。
【請求項３】
前記保持ユニットは、前記照明ユニットの一部領域が挿入される保持溝を備え、前記保持溝には、挿入された前記照明ユニットと接点連結されて電源を印加する電源印加部が設けられることを特徴とする請求項１または２に記載の可変型照明装置。
【請求項４】
前記照明ユニットは、
互いに異なる方向、角度、および長さに延び、前記保持ユニットと接点連結される接点部がそれぞれ設けられる複数の連結端部を備える照明本体と、
前記照明本体に少なくとも１つ設けられ、前記複数の連結端部のうちいずれか１つと前記保持ユニットとの間の連結に対応して発光角度、発光方向、発光位置の高低、および光量のうち少なくともいずれか１つが変更される発光部材と
を備えることを特徴とする請求項１から３の何れか１項に記載の可変型照明装置。
【請求項５】
前記照明ユニットは、
相互同一の長さを有して互いに異なる方向および角度に延び、前記保持ユニットと接点連結される接点部がそれぞれ設けられる複数の連結端部を備える照明本体と、
前記照明本体に設けられ、前記複数の連結端部と保持ユニットとの間の連結にそれぞれ対応して互いに異なる光量で独立的に発光する複数の発光部材と
を備えることを特徴とする請求項１から３の何れか１項に記載の可変型照明装置。
【請求項６】
前記照明ユニットは、
前記保持ユニットと接点連結される第１接点部が設けられる第１連結端、および前記第１連結端から湾曲して延び、前記保持ユニットと接点連結される第２接点部が設けられる第２連結端を備える照明本体と、
同一の光量で発光するように前記照明本体に少なくとも１つに設けられる、または、互いに異なる光量を照射するように前記照明本体に複数設けられる発光部材と
を備えることを特徴とする請求項１から３の何れか１項に記載の可変型照明装置。
【請求項７】
前記照明ユニットは、
所定の方向および角度に延びて前記保持ユニットと接点連結される第１接点部が設けられる第１連結端部、前記第１連結端部と異なる方向および角度に延びて前記保持ユニットと接点連結される第２接点部が設けられる第２連結端部、前記第１および第２連結端部と異なる方向および角度に延びて前記保持ユニットと接点連結される第３接点部が設けられる第３連結端部を備える照明本体と、
前記第１接点部、前記第２接点部、および前記第３接点部から印加される電源によってそれぞれ独立的に発光する第１発光部、第２発光部、および第３発光部を備える発光部材と
を備えることを特徴とする請求項１から３の何れか１項に記載の可変型照明装置。
【請求項８】
発光し、互いに異なる方向および角度に延びる複数の連結端部を備える照明ユニットと、
前記複数の連結端部のうちいずれか１つと選択的に連結され、前記照明ユニットを保持すると共に、前記照明ユニットと接点連結方式によって電源を印加する保持ユニットと
を備え、
前記複数の連結端部が前記保持ユニットに連結される状態変更に応じて、前記照明ユニットから照射される光の角度、方向、高低、および光量のうち少なくともいずれか１つが変更されることを特徴とする可変型照明装置。
【請求項９】
前記複数の連結端部は互いに異なる長さを有することを特徴とする請求項８に記載の可変型照明装置。
【請求項１０】
前記複数の連結端部は、照明本体に対して傾斜方向延びて、または湾曲して延びて備えられ、前記照明本体はヒンジ自在であることを特徴とする請求項８または９に記載の可変型照明装置。
【請求項１１】
前記照明ユニットは、同一光量を有する少なくとも１つの発光部材を備える、または、互いに異なる光量を有して前記保持ユニットに対する前記複数の連結端部それぞれの連結によってそれぞれ独立的に発光する複数の発光部材を備えることを特徴とする請求項８から１０の何れか１項に記載の可変型照明装置。
【請求項１２】
前記照明ユニットは発光素子を少なくとも１つを備えることを特徴とする請求項８から１１の何れか１項に記載の可変型照明装置。
【請求項１３】
前記保持ユニットは、前記複数の連結端部のうちいずれか１つが挿入される保持溝を備え、前記保持溝には挿入された前記複数の連結端部のうちいずれか１つと接点連結されて電源を印加する電源印加部を設けることを特徴とする請求項８から１２の何れか１項に記載の可変型照明装置。
【請求項１４】
前記保持ユニットに保持された前記照明ユニットの形状を固定させる固定手段を備えることを特徴とする請求項１３に記載の可変型照明装置。
【発明の詳細な説明】
【技術分野】
【０００１】
本発明は、様々な条件で照明環境を変更することのできる可変型照明装置が開示される。より詳しくは、電源を印加する保持手段との連結構造に応じて照明角度、方向、および光量などを手軽に変更させることができる可変型照明装置が開示される。
【背景技術】
【０００２】
一般的に照明装置は室内または室外に設けられ、暗い環境を照明する機器である。このような照明装置として、街灯、天井灯、または壁灯のように室外または室内の特定位置に固定して設けられる固定型、またはデスクなどのように設置位置をユーザが調整することのできる非固定型に区分される。また、照明装置は、室内／室外を明るくするための照明をはじめ、ムードなどのように比較的に低い照度の副照明を含み、台所、玄関、ベランダ照明のように特定の空間のみを照明するための小型の照明のような様々な使い方に適するよう色々な種類に区分される。
【０００３】
一方、上記のような照明装置は、一般的に使用目的に応じて製造されることで、使用中には目的の変更ができない。すなわち、照明装置は１つの使い方に対応するよう製造されているため、その他に使用するには適しない。したがって、今日では使用の多様性を有する照明装置が次第に要求されている傾向である。
【発明の概要】
【発明が解決しようとする課題】
【０００４】
本発明の目的は、使用中の照明条件を手軽に変更させ得ることによって、使用の多様性の確保に有利な可変型照明装置を提供することにある。
【課題を解決するための手段】
【０００５】
本発明の一実施形態に係る可変型照明装置は、光を照明する照明ユニットと、前記照明ユニットと選択的に連結されて前記照明ユニットを保持すると共に、連結された前記照明ユニットに電源を印加する保持ユニットとを備え、前記照明ユニットは、前記保持ユニットに対する連結構造を変更することにより連動して照明条件が変更される。
【０００６】
本発明の一側面によると、前記照明ユニットは発光素子を少なくとも１つ以上備え、前記保持ユニットと接点連結される複数の接点部を備える。
【０００７】
本発明の一側面によると、前記保持ユニットは、前記照明ユニットの一部領域が挿入される保持溝を備え、前記保持溝には、挿入された前記照明ユニットと接点連結されて電源を印加する電源印加部が設けられる。
【０００８】
本発明の一側面によると、前記照明ユニットは、互いに異なる方向、角度、および長さに延び、前記保持ユニットと接点連結される接点部がそれぞれ設けられる複数の連結端部を備える照明本体と、前記照明本体に少なくとも１つ以上設けられ、前記複数の連結端部のうちいずれか１つと前記保持ユニットとの間の連結に対応して照明角度、照明方向、照明の高低、および光量のうち少なくともいずれか１つが変更される発光部材とを備える。
【０００９】
本発明の一側面によると、前記照明ユニットは、相互同一の長さを有して互いに異なる方向および角度に延び、前記保持ユニットと接点連結される接点部がそれぞれ設けられる複数の連結端部を備える照明本体と、前記照明本体に設けられ、前記複数の連結端部と保持ユニットとの間の連結にそれぞれ対応して互いに異なる光量を独立的に照明する複数の発光部材とを備える。
【００１０】
本発明の一側面によると、前記照明ユニットは、前記保持ユニットと接点連結される第１接点部が設けられる第１連結端、および前記第１連結端から曲線方向に延び、前記保持ユニットと接点連結される第２接点部が設けられる第２連結端を備える照明本体と、同一の光量を照明するように前記照明本体に少なくとも１つに設けられたり、互いに異なる光量を照射するように前記照明本体に複数設けられる発光部材とを備える。
【００１１】
本発明の一側面によると、前記照明ユニットは、前記保持ユニットと接点連結される第１接点部が設けられる第１連結端部、前記第１連結端部と異なる方向および角度に延びて前記保持ユニットと接点連結される第２接点部が設けられる第２連結端部、前記第１および第２連結端部と異なる方向および角度に延びて前記保持ユニットと接点連結される第３接点部が設けられる第３連結端部を備える照明本体と、前記第１ないし第３連結端部にそれぞれ設けられて前記第１ないし第２接点部から印加される電源によってそれぞれ独立的に発光される第１ないし第３発光部を備える発光部材とを備える。
【００１２】
本発明の位置実施形態によると、光を照明し、互いに異なる方向および角度に延びる複数の連結端部を備える照明ユニットと、前記照明ユニットの複数の連結端部のうちいずれか１つと選択的に連結され、前記照明ユニットを保持すると共に、前記照明ユニットと接点連結方式に応じて電源を印加する保持ユニットとを備え、前記複数の連結端部が前記保持ユニットに連結される状態変更に応じて、前記照明ユニットから照明される角度、方向、高低、および光量のうち少なくともいずれか１つが変更される。
【００１３】
本発明の一側面によると、前記複数の連結端部は互いに異なる長さを有する。
【００１４】
本発明の一側面によると、前記複数の連結端部は、照明本体に対して傾斜方向または曲線方向に延びて備えられる。
【００１５】
本発明の一側面によると、前記照明ユニットは、同一光量を有する少なくとも１つの発光部材を備えたり、互いに異なる光量を有して前記保持ユニットに対する前記複数の連結端部それぞれの連結によってそれぞれ独立的に照明する複数の発光部材を備える。
【００１６】
本発明の一側面によると、前記照明ユニットは発光素子を少なくとも１つ以上を備える。
【００１７】
本発明の一側面によると、前記保持ユニットは、前記照明ユニットの前記複数の連結端部のうちいずれか１つが挿入される保持溝を備え、前記保持溝には挿入された前記複数の連結端部のうちいずれか１つと接点連結されて電源を印加する電源印加部を設ける。
【００１８】
本発明の一側面によると、前記保持ユニットに保持された前記照明ユニットの形状を固定させる固定手段を備える。
【発明の効果】
【００１９】
第１に、保持ユニットに対する照明ユニットの連結構造を変更させることで連動されて照明条件を変更させることによって、１つの照明装置において様々な環境に対応することのできる多様性の確保が有利である。
【００２０】
第２に、ユーザが使用環境に応じて照明角度／方向／高低、および／または光量などを調整することによって、経済性を向上させることができる。
【００２１】
第３に、照明ユニットが保持ユニットとの接点連結方式に応じて照明のための電源が印加されることによって、複雑な電源印加ラインを備える必要がないためデザイン確保の利点を有する。
【００２２】
第４に、照明ユニットが発光素子（ＬＥＤ、Ｌｉｇｈｔ  Ｅｍｉｔｔｉｎｇ  Ｄｉｏｄｅ）を備えることによって、環境にやさしくかつ経済的な照明装置を提供することができる。
【図面の簡単な説明】
【００２３】
【図１】本発明の好ましい第１実施形態に係る可変型照明装置を約的に示す斜視図である。
【図２】図１に示す可変型照明装置の第１連結端部が保持ユニットに連結された状態を約的に示す側面図である。
【図３】図１に示す可変型照明装置の第２連結端部が保持ユニットに連結された状態を約的に示す側面図である。
【図４】図１に示す可変型照明装置の第３連結端部が保持ユニットに連結された状態を約的に示す側面図である。
【図５】図１に示す可変型照明装置の第４連結端部が保持ユニットに連結された状態を約的に示す側面図である。
【図６】本発明の好ましい第２実施形態に係る可変型照明装置を約的に示す側面図である。
【図７】本発明の好ましい第３実施形態に係る可変型照明装置を約的に示す側面図である。
【発明を実施するための形態】
【００２４】
以下、添付された図面に記載された内容を参照して本発明に係る実施形態を詳細に説明する。ただし、本発明が実施形態によって制限されたり限定されることはない。
【００２５】
図１に示すように、第１実施形態に係る可変型照明装置１は、照明ユニット１０および保持ユニット４０を備える。
【００２６】
照明ユニット１０は光を照明する。ここで、照明ユニット１０は、後述する保持ユニット４０に対する連結構造を変更することによって連動して照明される角度、照明方向、照明の高低、および光量のような照明条件が変更される。このような照明ユニット１０は照明本体２０および発光部材３０を備える。
【００２７】
照明本体２０は、互いに異なる角度および方向に延びる複数の連結端部２１、２３、２５、２７を備える。ここで、複数の連結端部２１、２３、２５、２７は、図１に示すように照明本体２０の一端から平行に延びる第１連結端部２１、照明本体２０の他端から互いに異なる方向および角度に傾斜するよう延びる第２ないし第４連結端部２３、２５、２７から構成される。このとき、第１ないし第４連結端部２１、２３、２５、２７は照明本体２０に対して互いに異なる長さを有して延びている。
【００２８】
また、第１ないし第４連結端部２１、２３、２５、２７のそれぞれには第１ないし第４接点部２２、２４、２６、２８が設けられる。第１ないし第４接点部２２、２４、２６、２８は全て陽極（＋）および陰極（−）を有し、後述する保持ユニット４０と接点連結方式に応じて電気的に接続される。
【００２９】
参考に、照明本体２０は詳しく図示されてはいないが、ヒンジによってヒンジ可能に構成されているため形状の変更が可能である（図３参考）。
【００３０】
発光部材３０は、照明本体２０に少なくとも１つ以上に設けられる。第１実施形態において、発光部材３０が照明本体２０の第１連結端部２１の方に偏るように１ヶ所に設けられることを例示した。この場合、発光部材３０は、第１ないし第４連結端部２１、２３、２５、２７のうちいずれか１つと、後述する保持ユニット４０と連結される状態変更に対応して、図２ないし図５に示すように、照明される角度、方向、および高低が調整される。このような発光部材３０の照明角度、方向、および高低の可変動作については後述する。
【００３１】
参考に、発光部材３０は、低電力、長い寿命、および環境にやさしいという特性を有することで経済性に優れた発光素子（ＬＥＤ）を備えることができる。
【００３２】
保持ユニット４０は、照明ユニット１０と選択的に連結されて照明ユニット１０を保持すると共に、電源を印加する。保持ユニット４０は、照明ユニット１０の一部領域が挿入される保持溝４１を備え、この保持溝４１上には照明ユニット１０と接点連結されて電源を印加する電源印加部４２（図２参考）が設けられる。このとき、電源印加部４２は、第１ないし第４連結端部２１、２３、２５、２７に備えられた第１ないし第４接点部２２、２４、２６、２８と接点連結される。これによって、電源印加部４２も第１ないし第４接点部２２、２４、２６、２８に対応して陽極（＋）おとび陰極（−）を有する。
【００３３】
参考に、保持ユニット４０は、デスクのような所定領域に非固定方式に据置されて照明ユニット１０を保持したり、室内壁に固定されて保持ユニット４０を保持するよう構成されてもよい。
【００３４】
上記のような構成を有する第１実施形態に係る可変型照明装置１の照明動作を図２ないし図５を参考して説明する。
【００３５】
まず、図２に示すように、照明ユニット１０の第１連結端部２１が保持ユニット４０の保持溝４１に挿入された状態が示されている。この場合、第１連結端部２１が保持ユニット４０の据置される据置面に対して水平の任意の基準ラインＬに対して約９０゜の角度θ１で保持ユニット４０に連結されている。
【００３６】
第１連結端部２１に備えられた第１接点部２２（図１参考）が保持溝４１内の電源印加部４２と電気的に接続されると、発光部材３０が保持ユニット４０の近隣、すなわち、相対的に照明本体２０の下側において光を照明する。このとき、発光部材３０が照明本体２０の下側において光を照明することによって、柔らかなムードなどの機能を有することが可能になる。
【００３７】
図３に示すように、照明ユニット１０の第２連結端部２３が保持ユニット４０の保持溝４１に挿入された状態が図示されている。第２連結端部２３が保持ユニット４０に連結されることによって、第２連結端部２３に備えられた第２接点部２４（図１参考）が保持溝４１内の電源印加部４２と接点連結されて発光部材３０を発光させる。このとき、第２連結端部２３が保持ユニット４０に連結されることで、発光部材３０の備えられた照明本体２０は仮想の基準ラインＬに対して約６０゜の角度θ２で傾斜することになる。これによって、発光部材３０は、照明本体２０の相対的に上側で基準ラインＬに向かって約６０゜の角度で照明することによってデスク照明灯の機能を実現することができる。
【００３８】
図４に示すように、照明ユニット１０の第３連結端部２５が保持ユニット４０の保持溝４１内に挿入されると、第３連結端部２５の第３接点部２６（図１参考）が保持溝４１内の電源印加部４２と接点連結される。これによって、照明本体２０が基準ラインＬに対して約４５゜の角度θ３に傾斜した状態で発光部材３０を保持することによって、発光部材３０は基準ラインＬに向かって約４５゜の角度で照明することになる。図４に示すように、発光部材３０が照明本体２０の相対的に上側で照明されることによってデスク照明灯の機能を実現することができる。
【００３９】
また、図５に示すように、照明ユニット１０の形状を変換して、第４連結端部２７が保持ユニット４０の保持溝４１内に挿入され、第４連結端部２７の第４接点部２８（図１参考）と電源印加部４２が電気的に接続される。この場合、照明本体２０が基準ラインＬに対して約３０゜の角度θ４に傾斜した状態で発光部材３０を保持する。これによって、発光部材３０は、照明本体２０の相対的に上側で基準ラインＬに向かって約３０゜の角度に照明することによってデスク照明灯の機能を有し得る。
【００４０】
上述したように、照明ユニット１０が保持ユニット４０との連結される形状が変換されることによって連動し、照明ユニット１０の発光部材３０から発生する照明角度を変更させる。また、照明ユニット１０の形状変換に対応し、照明ユニット１０の発光部材３０を保持する角度θ１、θ２、θ３、θ４（図２ないし図５参考）が変更されると共に、延びる長さが変更されて互いに異なることによって、発光部材３０の照明方向および照明の高低も変更される。
【００４１】
図６に示すように、好ましい第２実施形態に係る可変型照明装置１００が図示される。
【００４２】
図６のように、第２実施形態に係る可変型照明装置１００は、照明ユニット１１０および保持ユニット１４０を備える。
【００４３】
照明ユニット１１０は、照明本体１２０およびこの照明本体１２０に設けられる発光部材１３０を備える。ここで、照明本体１２０は、互いに異なる方向に傾斜するように延びる第１ないし第３連結端部１２１、１２２、１２３を備える。第１ないし第３連結端部１２１、１２２、１２３には詳しく図示していないが、第１実施形態の図１のように各第１ないし第３接点部（図示せず）を備える。
【００４４】
図６において、第１ないし第３連結端部１２１、１２２、１２３が照明本体１２０から互いに異なる方向に向っているが、照明本体１２０に対して相互同一の角度に傾斜するよう延びるものと例示している。また、第１ないし第３連結端部１２１、１２２、１２３の照明本体１２０に対する延びた長さも相互同一なものと例示している。しかし、図６に示すものに限定されることなく、第１ないし第３連結端部１２１、１２２、１２３の照明本体１２０に対する傾斜した角度および／または延びた長さを様々に変更できることは当然である。
【００４５】
発光部材１３０は、第１ないし第３連結端部１２１、１２２、１２３それぞれに偏るように設けられる第１ないし第３発光部１３１、１３２、１３３を備える。ここで、第１ないし第３発光部１３１、１３２、１３２は、図６に示すように、互いに異なる光量を有するように構成されてもよい。すなわち、第１発光部１３１の光量が相対的に第２および第３発光部１３２、１３３の光量よりも多く、第３発光部１３３の光量が第１および第２発光部１３１、１３２の光量よりも少ないように構成される。このとき、第１ないし第３発光部１３１、１３２、１３３の光量は図６に示すものに限定されることなく、変更可能である。
【００４６】
一方、発光部材１３０が備えている第１ないし第３発光部１３１、１３２、１３３は、各第１ないし第３連結端部１２１、１２２、１２３が後述する保持ユニット１３０に連結されることでそれぞれ連動されて照明される。このような発光部材１３０の照明動作は後述する。
【００４７】
保持ユニット１４０は、照明本体１２０の第１ないし第３連結端部１２１、１２２、１２３が選択的に挿入される保持溝１４１を備え、照明本体１２０を保持する。このような保持ユニット１４０は、第１実施形態と同一の構成を有するためにその詳説は省略する。
【００４８】
上記のような構成を有する第２実施形態に係る可変型照明装置１００は、照明本体１２０の第１連結端部１２１が保持ユニット１４０の保持溝１４１に挿入されると、第１連結端部１２１側に設けられた第１発光部１３１が照明される。このとき、第２および第３連結端部１２２、１２３に備えられた第２および第３発光部１３２、１３３は照明されない。すなわち、第１連結端部１２１に備えられた第１接点部（図示せず）が保持溝１４１内の電源印加部（図示せず）（図２ないし図５参考）と接点連結されることによって、第１発光部１４１のみが動作される。
【００４９】
このような第１発光部１３１の照明動作のように、第２および第３連結端部１２２、１２３が保持ユニット１４０に連結されることによってそれぞれ連動され、各第２および第３発光部１３２、１３３がそれぞれ独立的に照明される。これによって、ユーザは所望する光量に対応して照明ユニット１１０の照明本体１２０と保持ユニット１４０との間の連結構造を変更させることで、発光部材１３０から発生する光量を所望する光量に容易に変更させることができる。
【００５０】
図７には、好ましい第３実施形態に係る可変型照明装置２００が図示される。
【００５１】
図７に示すように、可変型照明装置２００は照明ユニット２１０および保持ユニット２４０を備える。
【００５２】
照明ユニット２１０は、照明本体２２０および発光部材２３０を備える。ここで、照明本体２２０は、第１連結端部２２１と、この第１連結端部２２１から曲線方向に延びる第２連結端部２２２を備える。このとき、第１および第２連結端部２２１、２２２に詳しく示していないが、第１および第２接点部（図示せず）が備えられ、このような第１および第２接点部（図示せず）の構成は図１に示すものと類似するため、その詳説および図示は省略する。
【００５３】
発光部材２３０は照明本体２２０に設けられているが、第１および第２連結端部２２１、２２２にそれぞれ設けられる第１および第２発光部２３１、２３２を備える。ここで、第１および第２発光部２３１、２３２は、相互同一の光量を有するものと例示する。しかし、必ずこれに限定されることなく、第１および第２発光部２３１、２３２それぞれの光量が図６に示す第２実施形態のように互いに異なるよう構成されてもよい。
【００５４】
一方、発光部材２３０の第１発光部２３１および第２発光部２３２は第２実施形態と異なって、各第２連結端部２２２および第１連結端部２２１が保持ユニット２４０に連結されることによってそれぞれ連動して照明される。このような発光部材２３０の照明動作は後述する。
【００５５】
保持ユニット２４０の構成は、照明ユニット２１０を保持しているために照明本体２２０の第１および第２連結端部２２１、２２２が挿入される保持溝２４１を備える。このような保持ユニット２４０の構成は、前述した第１および第２実施形態に係る保持ユニット１４０、４０と同一であるため、詳説は省略する。
【００５６】
上記のような第３実施形態によると、照明ユニット２１０の照明本体２２０が図７に示すように、保持ユニット２４０に連結される形状に応じて、発光部材２３０から照明される角度、方向、および高低が変更される。具体的に、照明本体２２０の第１連結端部２２１が保持溝２４１内に挿入されると、第２発光部２３２が照明される。また、照明本体２２０の形状が変換されて第２連結端部２２２が保持溝２４１内に挿入されると、第１発光部２３１が照明される。このとき、図７に示すように、第２発光部２３２が照明される時の照明の高さが第１発光部２３１が照明される時の照明高さよりも相対的に高い。また、第１発光部２３１が保持ユニット２４０の設置位置に応じて第２発光部２３２によって照明位置よりも相対的に遠い位置を照明する。
【００５７】
参考に、前述した第１ないし第３実施形態では、可変型照明装置１、１００、２００の照明ユニット１０、１１０、２１０が保持ユニット４０、１４０、２４０に保持された状態を固定させるための別途の手段を備えるものを例示していないが、必ずこれに限定されることはない。例えば、照明ユニット１０、１１０、２１０が備えている複数の連結端部２１、２３、２５、２７、１２１、１２２、１２３、２２１、２２２、２２３と、保持溝４１、１４１、２４１の内側面に互いに引力を発生するよう磁石が設けられるように、照明ユニット１０、１１０、２１０と保持ユニット４０、１４０、２４０との間を固定させる様々な変形例が可能である。
【００５８】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００５９】
したがって、本発明の範囲は、開示された実施形態に限定されて定められるものではなく、特許請求の範囲だけではなく特許請求の範囲と均等なものなどによって定められるものである。
【符号の説明】
【００６０】
１、１００、２００      可変型照明装置
１０、１１０、２１０      照明ユニット
２０、１２０、２２０      照明本体
３０、１３０、２３０      発光部材
４０、１４０、２４０      保持ユニット
４１、１４１、２４１      保持溝
【図１】
2012248536.tif 000003
【図２】
2012248536.tif 000004
【図３】
2012248536.tif 000005
【図４】
2012248536.tif 000006
【図５】
2012248536.tif 000007
【図６】
2012248536.tif 000008
【図７】
2012248536.tif 000009